(57)【要約】【課題】  固定式クリールを用いる方式の整経作業に長時間掛かるという欠点と、回転式クリールを用いる方式のごく限られたパターンの整経しかできないという欠点とを同時に解消すること、換言すれば、整経デザインの制限を生じることなく極めて短時間で整経することを可能とする新たなサンプル整経機及びサンプル整経方法を提供する。【解決手段】  ボビンが経糸の長手方向で所定の整経長毎に異色若しくは異種の経糸に継ぎ替え又は異色に染色若しくは着色して巻取形成されてなり、該ボビンを用いて複本数同時整経を行うようにした。【選択図】  図２
2006183175.tif 000002
【特許請求の範囲】
【請求項１】
整経ドラムと、該整経ドラムの外周部の長手方向で移動自在に設けられた複数のコンベアベルトと、該整経ドラムの側部の長手方向に設けられ且つ所定の綾を形成する綾取り手段と、該整経ドラムの前面でドラム軸を中心として回転自在に設けられ且つ該整経ドラムの外周面上に経糸を巻き付ける複数のヤーンガイドと、該ヤーンガイドの前方に配置されると共に複数のボビンが着脱自在に装着され且つ該ヤーンガイドの回転と同期回転する回転式クリールとを備え、前記ボビンが経糸の長手方向で所定の整経長毎に異色若しくは異種の経糸に継ぎ替え又は異色に染色若しくは着色して巻取形成されてなり、該ボビンを用いて複本数同時整経を行うようにしたことを特徴とするサンプル整経機。
【請求項２】
整経ドラムと、該整経ドラムの外周部の長手方向で移動自在に設けられた複数のコンベアベルトと、該整経ドラムの側部の長手方向に設けられ且つ所定の綾を形成する綾取り手段と、該整経ドラムの前面でドラム軸を中心として回転自在に設けられ且つ該整経ドラムの外周面上に経糸を巻き付ける複数のヤーンガイドと、該ヤーンガイド毎にボビンが着脱自在に装着されたボビンスタンドを備え、前記ボビンが経糸の長手方向で所定の整経長毎に異色若しくは異種の経糸に継ぎ替え又は異色に染色若しくは着色して巻取形成されてなり、該ボビンを用いて複本数同時整経を行うようにしたことを特徴とするサンプル整経機。
【請求項３】
整経ドラムと、該整経ドラムの外周部の長手方向に移動自在に設けられた複数のコンベアベルトと、該整経ドラムの側部の長手方向に設けられ且つ所定の綾を形成する綾取り手段と、該整経ドラムの前面に回転自在に設けられ且つ該整経ドラムの外周面上に経糸を巻き付ける複数のヤーンガイドと、該ヤーンガイドの前方に配置されると共に複数のボビンが着脱自在に装着され且つ該ヤーンガイドの回転と同期回転する回転式クリールとを備えるサンプル整経機を用いたサンプル整経方法であって、前記ボビンが経糸の長手方向で所定の整経長毎に異色若しくは異種の経糸に継ぎ替え又は異色に染色若しくは着色して巻取形成されてなり、該ボビンを用いて複本数同時整経を行うようにしたことを特徴とするサンプル整経方法。
【請求項４】
整経ドラムと、該整経ドラムの外周部の長手方向に移動自在に設けられた複数のコンベアベルトと、該整経ドラムの側部の長手方向に設けられ且つ所定の綾を形成する綾取り手段と、該整経ドラムの前面に回転自在に設けられ且つ該整経ドラムの外周面上に経糸を巻き付ける複数のヤーンガイドと、該ヤーンガイド毎にボビンが着脱自在に装着されたボビンスタンドを備えるサンプル整経機を用いたサンプル整経方法であって、前記ボビンが経糸の長手方向で所定の整経長毎に異色若しくは異種の経糸に継ぎ替え又は異色に染色若しくは着色して巻取形成されてなり、該ボビンを用いて複本数同時整経を行うようにしたことを特徴とするサンプル整経方法。
【発明の詳細な説明】
【技術分野】
【０００１】
本発明は、サンプル整経機及びサンプル整経方法に係り、特には回転式クリールを用いる方式のサンプル整経機及びサンプル整経方法に関する。
【背景技術】
【０００２】
従来のサンプル整経機（Sample Warper）には、固定式クリールを用いる方式、回転式クリールを用いる方式、固定式クリール及び回転式クリールを併用する方式に大別される。
【０００３】
固定式クリールを用いる方式は、異種（異色又は撚りの異なる）の糸を巻いてある複数本のボビンを立てる固定式クリールを用い、予め設定された柄データ（糸順序）に従い糸セレクトガイドによって糸交換を行いつつヤーンガイドにより整経ドラム上に糸を巻付けていくものである（例えば、特許文献１及び特許文献２参照）。固定式クリールは、同種及び／又は異種の糸（主として異種の糸）を巻いてある複数本のボビンを有しており、糸一本ずつの整経をすることができるため、柄整経の整経作業を行うことができる利点があるが、一本の糸を順次整経ドラムに巻きつけるために整経作業時間がそれだけ掛かるという不利がある。
【０００４】
また、回転式クリールを用いる方式は、回転式クリールを用いると共に糸交換工程を省略し、糸交換時の時間的ロスを皆無とし且つ複本数の糸を同時に整経ドラムに巻付けることを可能とし、さらに整経作業時間の短縮を可能としたものである（例えば、特許文献３及び特許文献４参照）。回転式クリールは、同種及び／又は異種の糸を巻いてある複数本のボビンを有しており、無地整経（例えば、赤色糸一色）、１対１の柄整経（例えば、赤１本と白１本の繰り返し、１２撚１本とＺ撚１本の繰り返し）、２対２の柄整経（例えば、赤２本と白２本の繰り返し、１２撚２本とＺ撚２本の繰り返し）等のごく限られたパターンの整経に使用可能である。この回転式クリールは、ごく限られたデザインの整経以外の柄整経の整経作業を行うことはできないという不利があるが、複本数の糸を同時に整経ドラムに巻きつけるために整経作業時間が大幅に短縮されるという利点がある。なお、その他、固定式クリール及び回転式クリールを併用する方式としては特許文献５があり、回転式クリールを複数組み合わせる方式としては特許文献６がある。
【特許文献１】特許第１５２９１０４号公報
【特許文献２】特許第２８５４７８９号公報
【特許文献３】特許第１７６７７０６号公報
【特許文献４】特許第３４２０５２６号公報
【特許文献５】特許第３４１８５６２号公報
【特許文献６】特開２００２−３３９１８３号公報
【特許文献７】特開２００４−１５６１８５号公報
【発明の開示】
【発明が解決しようとする課題】
【０００５】
本発明は、上記問題点に鑑みてなされたものであり、固定式クリールを用いる方式の整経作業に長時間掛かるという欠点と、回転式クリールを用いる方式のごく限られたパターンの整経しかできないという欠点とを同時に解消すること、換言すれば、整経デザインの制限を生じることなく極めて短時間で整経することを可能とする新たなサンプル整経機及びサンプル整経方法を提供することを目的とするものである。
【課題を解決するための手段】
【０００６】
上記課題を解決するために、本発明者らが鋭意検討したところ、サンプル整経作業開始前に予め、整経条件及び整経デザインから使用するボビン別に色糸（糸種）の配列を定め、この整経長毎に色分け（種類分け）された経糸を巻き取ったボビンを作成しておき、このボビンを使用して回転式クリールを用いる方式のサンプル整経機で複本数同時整経を行うことにより、糸交換が不要で且つ整経デザインの制限を生じることなく、短時間での整経を可能とすることができることが分かった。つまり、整経作業を行う際には前もって整経条件や整経デザインが判明しており、この条件及びデザインからボビン毎の色糸乃至糸種の配列を決定することができるので、この糸配列をワインダー等を利用したボビンの巻取形成の際に、糸長を測定しながら整経長毎に色糸若しくは糸種を継ぎ替えたり又は整経長毎に染色若しくは着色しながらボビンを巻取形成し、この糸配列を調整したボビンを回転式クリールに仕掛けて複数のヤーンガイドで複数本同時整経を行うことにより、整経デザインの制限を生じることなく短時間での整経が可能となるものである。糸配列を調整したボビンを予め用意して用いることによって、整経動作中の糸交換は不要となり、糸交換時に発生していたトラブルが皆無となり、また、回転式クリール自体を不要とすることもできるので、回転式クリールをヤーンガイドの回転と同期回転させるための煩雑さを解消でき、製造コストの低減や装置の小型化を図ることができるようになる。
【０００７】
即ち、本発明のサンプル整経機の第１の態様は、整経ドラムと、該整経ドラムの外周部の長手方向で移動自在に設けられた複数のコンベアベルトと、該整経ドラムの側部の長手方向に設けられ且つ所定の綾を形成する綾取り手段と、該整経ドラムの前面でドラム軸を中心として回転自在に設けられ且つ該整経ドラムの外周面上に経糸を巻き付ける複数のヤーンガイドと、該ヤーンガイドの前方に配置されると共に複数のボビンが着脱自在に装着され且つ該ヤーンガイドの回転と同期回転する回転式クリールとを備え、前記ボビンが経糸の長手方向で所定の整経長毎に異色若しくは異種の経糸に継ぎ替え又は異色に染色若しくは着色して巻取形成されてなり、該ボビンを用いて複本数同時整経を行うようにしたことを特徴とする。
【０００８】
本発明のサンプル整経機の第２の態様は、整経ドラムと、該整経ドラムの外周部の長手方向で移動自在に設けられた複数のコンベアベルトと、該整経ドラムの側部の長手方向に設けられ且つ所定の綾を形成する綾取り手段と、該整経ドラムの前面でドラム軸を中心として回転自在に設けられ且つ該整経ドラムの外周面上に経糸を巻き付ける複数のヤーンガイドと、該ヤーンガイド毎にボビンが着脱自在に装着されたボビンスタンドを備え、前記ボビンが経糸の長手方向で所定の整経長毎に異色若しくは異種の経糸に継ぎ替え又は異色に染色若しくは着色して巻取形成されてなり、該ボビンを用いて複本数同時整経を行うようにしたことを特徴とする。
【０００９】
また、本発明のサンプル整経方法の第１の態様は、整経ドラムと、該整経ドラムの外周部の長手方向に移動自在に設けられた複数のコンベアベルトと、該整経ドラムの側部の長手方向に設けられ且つ所定の綾を形成する綾取り手段と、該整経ドラムの前面に回転自在に設けられ且つ該整経ドラムの外周面上に経糸を巻き付ける複数のヤーンガイドと、該ヤーンガイドの前方に配置されると共に複数のボビンが着脱自在に装着され且つ該ヤーンガイドの回転と同期回転する回転式クリールとを備えるサンプル整経機を用いたサンプル整経方法であって、前記ボビンが経糸の長手方向で所定の整経長毎に異色若しくは異種の経糸に継ぎ替え又は異色に染色若しくは着色して巻取形成されてなり、該ボビンを用いて複本数同時整経を行うようにしたことを特徴とする。
【００１０】
本発明のサンプル整経方法の第２の態様は、整経ドラムと、該整経ドラムの外周部の長手方向に移動自在に設けられた複数のコンベアベルトと、該整経ドラムの側部の長手方向に設けられ且つ所定の綾を形成する綾取り手段と、該整経ドラムの前面に回転自在に設けられ且つ該整経ドラムの外周面上に経糸を巻き付ける複数のヤーンガイドと、該ヤーンガイド毎にボビンが着脱自在に装着されたボビンスタンドを備えるサンプル整経機を用いたサンプル整経方法であって、前記ボビンが経糸の長手方向で所定の整経長毎に異色若しくは異種の経糸に継ぎ替え又は異色に染色若しくは着色して巻取形成されてなり、該ボビンを用いて複本数同時整経を行うようにしたことを特徴とする。
【発明の効果】
【００１１】
本発明によれば、固定式クリールを用いる方式の整経作業に長時間掛かるという欠点と、回転式クリールを用いる方式のごく限られたパターンの整経しかできないという欠点とを同時に解消すること、換言すれば、整経デザインの制限を生じることなく極めて短時間で整経することを可能とする新たなサンプル整経機及びサンプル整経方法を提供することができるという大きな効果を奏する。
【発明を実施するための最良の形態】
【００１２】
以下に本発明の実施の形態を添付図面に基づいて説明するが、図示例は例示的に示されたもので、本発明の技術思想から逸脱しない限り種々の変形が可能なことはいうまでもない。
【００１３】
図１は、本発明のサンプル整経機の第１の態様を示す斜視概略説明図である。図２は、本発明のサンプル整経機の第２の態様を示す側面説明図である。図３は、図２の正面説明図である。図４は、本発明で用いることのできるボビンの巻取形成方法の一例を示す概略説明図である。図５は、本発明で用いるボビンを示し、（ａ）はボビンの斜視説明図であり、（ｂ）は長手方向で所定の整経長毎に異色若しくは異種の経糸に継ぎ替え又は異色に染色若しくは着色した経糸の一例を示す説明図である。図６は、本発明のサンプル整経方法のフローチャートである。
【００１４】
まず、本発明のサンプル整経機の第１の態様について、図１に基づいて説明する。図１において、符号１０は本発明の第１の態様のサンプル整経機である。サンプル整経機１０の基本的構造は、従来の回転式クリール方式のサンプル整経機と略同様のものである。即ち、略円筒形の整経ドラム１４（例えばドラム外周長７ｍ）と、この整経ドラム１４を支持する基台１２とを備え、整経ドラム１４の外周部には、その長手方向に移動自在な複数のコンベアベルト１７が設けられている。整経ドラム１４の両側部には、その長手方向に所定の綾を形成する綾取り手段である綾取りバー１８ａ〜１８ｇが設けられている。整経ドラム１４の前面には、整経ドラム１４のドラム軸を中心として回転自在とされ、整経ドラム１４の外周面上に経糸Ｙを巻付ける複数（図示例では８本）のヤーンガイド６ａ〜６ｈが設けられている。また、サンプル整経機１０は、ヤーンガイド６ａ〜６ｈに対応して、その前側外方に配置され、複数のボビンＢが着脱自在に装着され且つヤーンガイド６ａ〜６ｈの回転と電気的又は機械的に同期運転する回転式クリールＦを備える。そして、ヤーンガイド６ａ〜６ｈの回転と回転式クリールＦを同期運転しつつ、整経ドラム１４の外周面上に経糸Ｙを巻付けるようにし、連続して複本数同時整経を行うものである。このような回転式クリール方式のサンプル整経機１０の基本的構造及び作用は、前記特許文献３及び特許文献４等によって広く知られているため、再度の詳細な説明は省略する。
【００１５】
そして、この回転式クリール方式のサンプル整経機１０で用いるボビンＢとして、後述するように経糸の長手方向で所定の整経長毎に異色若しくは異種の経糸に継ぎ替え又は異色に染色若しくは着色して巻取形成されてなるボビンＢを用いるものである。なお、糸配列を調整したボビンＢを予め用意して用いることによって、整経動作中の糸交換が不要となるので従来のサンプル整経機では必須であった糸セレクトガイド装置は設ける必要がない。
【００１６】
次に、本発明のサンプル整経機の第２の態様について、図２及び図３に基づいて説明する。図２及び図３において、符号１０ａは本発明の第２の態様のサンプル整経機である。サンプル整経機１０ａは、上記第１の態様のサンプル整経機１０と同様に、基台１２、整経ドラム１４、コンベアベルト１７、綾取りバー１８ａ〜１８ｇとを備える。第１の態様のサンプル整経機１０と第２の態様のサンプル整経機１０ａとの違いはヤーンガイド４６ａ〜４６ｈにあり、ヤーンガイド４６ａ〜４６ｈにはその夫々にボビンを保持するためのボビンスタンド４０が設けられ、ボビンスタンド４０にボビンＢを着脱自在とされているものである。ヤーンガイド４６ａ〜４６ｈの夫々にはボビンＢから引き出された経糸Ｙの糸道をガイドする糸案内部材４８と、整経ドラム１４に経糸Ｙを巻き付けるための先端糸案内部材５２が設けられている。符号２０は主軸パイプ、２４はヤーンガイド主軸、２６はヤーンガイド支持部である。符号２１は整列巻き整経を行うためのガイド手段であり、このガイド手段２１については、特許文献２に詳細に説明されているため再度の説明は省略する。
【００１７】
そして、このボビンスタンド付きヤーンガイド４６ａ〜４６ｈを備えるサンプル整経機１０ａで用いるボビンＢとして、後述するように経糸の長手方向で所定の整経長毎に異色若しくは異種の経糸に継ぎ替え又は異色に染色若しくは着色して巻取形成されてなるボビンＢを用いるものである。このような第２の態様のサンプル整経機１０ａによれば、回転式クリールＦを用いる必要がなくなり、従って、ヤーンガイドと回転式クリールを同期運転させる必要もなく、その上、整経動作中の糸交換も不要であるので従来のサンプル整経機では必須であった糸セレクトガイド装置も必要がなくなり、極めてシンプルな構成のサンプル整経機を実現可能である。
【００１８】
ここで、本発明で用いるボビンの巻取形成方法について、図４に基づいて説明する。符号１００はワインダー（巻取機）である。ワインダー１００は、クリール１１０に装着された原ボビンＯＢ１，ＯＢ２，ＯＢ３から原糸Ｙ１，Ｙ２，Ｙ３を夫々引き出して張力付加部材１１１を挿通して糸選択装置１２０、糸継装置１１２、糸測長貯留装置１３０を通り、第二の張力付加部材１１３を介して巻取ドラム１１４により、本発明で用いるボビンＢを巻取形成するものであり、符号１１５はボビンＢを支持するクレードルである。
【００１９】
原ボビンＯＢ１，ＯＢ２，ＯＢ３は、夫々色や糸種の異なる原ボビンであって、糸継装置１１２により糸継されながら連続的に糸測長貯留装置１３０に供給される。また、図示例では、３個の原ボビンＯＢ１，ＯＢ２，ＯＢ３がクリール１１０に装着された例を示しているが、所望の柄整経を行うのに必要な色種・糸種の原ボビンがクリール１１０に装着されるものであり、その数量には制限がない。
【００２０】
糸選択装置１２０は原ボビンＯＢ１，ＯＢ２，ＯＢ３毎に配設された糸ガイド（不図示）をそれぞれ有し、原糸Ｙ１〜Ｙ３を適宜選択して糸継装置１１２へ案内する糸ガイド位置１２１Ａ又は経糸Ｙを吸引部材１１６へ案内する糸ガイド位置１２１Ｂに移動自在に制御される構造となっている。
【００２１】
糸継装置１１２により原糸Ｙ１〜Ｙ３の切断と糸継を行うものであり、糸選択装置１２０により選択された原糸Ｙ１〜Ｙ３が糸継装置１１２へ案内されて糸継され、経糸Ｙが形成されるように構成されている。この糸継装置１１２としては空気渦流により糸継するスプライサー装置でもよいし、糸結びを行うノッター装置でもよい。
【００２２】
吸引部材１１６に吸引されている（糸継装置１１２へ案内されていない）原糸Ｙ１〜Ｙ３は、糸保持ローラ１１７と糸保持板１１８により挟持されている。糸保持ローラ１１７は、外周面にウレタン等の弾性材が被覆されたローラ部材であり、糸保持板１１８は糸保持ローラ１１７に接離自在とされている。
【００２３】
糸測長貯留装置３０は、モータ１３７によりプーリ及び駆動ベルトを介して回転軸１３２を回転駆動せしめ、回転軸１３２から分岐された巻付け管（不図示）が貯留ドラム１３３の周囲を旋回し、糸長をモータ１３７の回転速度等から測定制御しつつ、経糸Ｙを貯留ドラム１３３に螺旋状に整列した状態で貯留するものである。そして、糸測長貯留装置３０の貯留ドラム１３３に貯留されている経糸Ｙを第二の張力付加部材１１３を介して巻取ドラム１１４によって巻き取り、クレードル１１５に支持されたボビンＢを形成する。
【００２４】
このようにして巻取形成されたボビンＢは、図５に示したように、原糸Ｙ１，Ｙ２，Ｙ３の各種の色糸が所定の順番に、所定の長さで巻き取られて一本の経糸Ｙとして巻取形成されたものであり、整経長に合わせ、Ｙ１の赤糸、Ｙ２の黄糸、Ｙ３の青糸、Ｙ２の黄糸のような色分けをした経糸Ｙを得ることができる。また、色糸の配列だけではなく、糸種や異なる番手糸を適宜変更した配列とすることもできる。このようなワインダー及びボビンの巻取形成方法としては、特許文献７等がある。
【００２５】
また、上記説明では複数の色糸乃至糸種を継ぎ替えてボビンＢを巻取形成する場合を説明したが、所定の糸長毎に所定の染色乃至着色をしながらボビンＢを巻取形成するようにして、上記と同様に経糸Ｙを色分けするようにしてもよい。
【００２６】
そして、このボビンＢを前記したサンプル整経機１０の回転式クリールＦ、又は、前記サンプル整経機１０ａのボビンスタンド４０に仕掛け、連続して複本数同時整経を行うことにより、糸交換等によるタイムロスなく、整経デザインの制限もないサンプル整経機を得ることができる。
【００２７】
次に、本発明のサンプル整経方法について、図６に基づいて説明する。図６は、本発明のサンプル整経方法のフローチャートである。例示として、以下の整経条件とした場合について説明する。
（整経条件）
・整経本数（本）…３０００
・整経幅（ｃｍ）…２００
・整経長（ｍ）…１４０
・整経デザイン…３Ａ＋２Ｂ＋１Ｃ＋３Ａ＋１１４＋１Ｅ＋１Ｆ
なお、上記整経デザインは、Ａの色糸乃至糸種（以下単にＡ糸という）を３本（３Ａ）と、Ｂの色糸乃至糸種（以下単にＢ糸という）を２本（２Ｂ）と、Ｃの色糸乃至糸種（以下単にＣ糸という）を１本（１Ｃ）と、Ａの色糸乃至糸種を３本（３Ａ）と、１４の色糸乃至糸種（以下単に１４糸という）を１本（１１４）と、Ｅの色糸乃至糸種（以下単にＥ糸という）を１本（１Ｅ）と、Ｆの色糸乃至糸種（以下単にＦ糸という）を１本（１Ｆ）の配列順からなる合計１２本で１柄が構成される整形デザインであることを意味しており、この配列順に整経長１４０ｍで整経本数３０００本まで整経すると整経が完了することを意味する。
【００２８】
まず、上記の如く整経条件を決定し、この整経条件のデータ（整経本数、整経幅、整経長及び整経デザイン）をサンプル整経機の制御用コンピュータ（不図示）に入力する（ステップ２１０）。次に、ボビンＢに予め仕込むべき色糸乃至糸種の配列を決定する（ステップ２２０）。即ち、上記整経条件を図１に例示したような８本のヤーンガイド及びボビンを備えるサンプル整経機で複本数同時整経を行う場合、同時整経できる経糸は８本であるので、上記１柄１２本の整経デザインを８本のヤーンガイド及びボビンで整経する場合は、下記表１に示した如くの色糸乃至糸種の配列に決定される。
【表１】
2006183175.tif 000003
【００２９】
上記決定された色糸乃至糸種の配列に基づいてボビンＢを巻取形成する（ステップ２３０）。即ち、上記表１から判るように、ボビン番号Ｎｏ．１では、１バンド目がＡ糸→２バンド目がＡ糸→３バンド目がＢ糸→（略）→３７３バンド目がＡ糸→３７４バンド目がＡ糸→３７５バンド目がＢ糸という順番で糸長１４０ｍ毎（バンドが替わる毎）に色糸乃至糸種を継ぎ替えた経糸Ｙを巻取形成したボビンＢが必要であるので、このボビンＢを前記図４で説明した如くのワインダー及び巻取形成方法によって予め用意する。
【００３０】
以下同様に、ボビン番号Ｎｏ．２では、１バンド目がＡ糸→２バンド目が１４糸→３バンド目がＣ糸→（略）→３７３バンド目がＡ糸→３７４バンド目が１４糸→３７５バンド目がＣ糸という順番で糸長１４０ｍ毎（バンドが替わる毎）に色糸乃至糸種を継ぎ替えた経糸Ｙを巻取形成したボビンＢを予め用意し、ボビン番号Ｎｏ．３では、１バンド目がＡ糸→２バンド目がＥ糸→３バンド目がＡ糸→（略）→３７３バンド目がＡ糸→３７４バンド目がＥ糸→３７５バンド目がＡ糸という順番で糸長１４０ｍ毎（バンドが替わる毎）に色糸乃至糸種を継ぎ替えた経糸Ｙを巻取形成したボビンＢを予め用意し、ボビン番号Ｎｏ．４では、１バンド目がＢ糸→２バンド目がＦ糸→３バンド目がＡ糸→（略）→３７３バンド目がＢ糸→３７４バンド目がＦ糸→３７５バンド目がＡ糸という順番で糸長１４０ｍ毎（バンドが替わる毎）に色糸乃至糸種を継ぎ替えた経糸Ｙを巻取形成したボビンＢを予め用意し、ボビン番号Ｎｏ．５では、１バンド目がＢ糸→２バンド目がＡ糸→３バンド目がＡ糸→（略）→３７３バンド目がＢ糸→３７４バンド目がＡ糸→３７５バンド目がＡ糸という順番で糸長１４０ｍ毎（バンドが替わる毎）に色糸乃至糸種を継ぎ替えた経糸Ｙを巻取形成したボビンＢを予め用意し、ボビン番号Ｎｏ．６では、１バンド目がＣ糸→２バンド目がＡ糸→３バンド目が１４糸→（略）→３７３バンド目がＣ糸→３７４バンド目がＡ糸→３７５バンド目が１４糸という順番で糸長１４０ｍ毎（バンドが替わる毎）に色糸乃至糸種を継ぎ替えた経糸Ｙを巻取形成したボビンＢを予め用意し、ボビン番号Ｎｏ．７では、１バンド目がＡ糸→２バンド目がＡ糸→３バンド目がＥ糸→（略）→３７３バンド目がＡ糸→３７４バンド目がＡ糸→３７５バンド目がＥ糸という順番で糸長１４０ｍ毎（バンドが替わる毎）に色糸乃至糸種を継ぎ替えた経糸Ｙを巻取形成したボビンＢを予め用意し、ボビン番号Ｎｏ．８では、１バンド目がＡ糸→２バンド目がＢ糸→３バンド目がＦ糸→（略）→３７３バンド目がＡ糸→３７４バンド目がＢ糸→３７５バンド目がＦ糸という順番で糸長１４０ｍ毎（バンドが替わる毎）に色糸乃至糸種を継ぎ替えた経糸Ｙを巻取形成したボビンＢを予め用意する。なお、同じ色糸が連続する部分では糸を継ぎ替える必要はない。
【００３１】
また、色糸乃至糸種を継ぎ替えてボビンＢを巻取形成するのではなく、所定の糸長毎に所定の染色乃至着色をしながらボビンＢを巻取形成するようにして、上記と同様にボビンＢを予め用意してもよい。
【００３２】
そして、上記予め用意したボビンＢを前記サンプル整経機１０の回転式クリールＦ、又は、前記サンプル整経機１０ａのボビンスタンド４０にボビンＮｏ．１から順に仕掛け、連続して複本数同時整経を行う（ステップ２４０）。即ち、上記予め用意したボビンＢを前記サンプル整経機１０の回転式クリールＦ、又は、前記サンプル整経機１０ａのボビンスタンド４０に仕掛け、対応するヤーンガイド６ａ〜６ｈによって、整経ドラム１４の外周面上に経糸Ｙを巻付けるようにして、連続して複本数同時整経を行う。
【００３３】
この際、前記サンプル整経機１０では以下の動作を行うようにする。整経ドラム１４の外周部のコンベアベルト１７は、整経本数（上記整経条件では３０００本）全てが巻き付け終わるのに合わせて、整経幅（上記整経条件では２００ｃｍ）の分だけ移動が完了するように駆動せしめる。換言すれば、例えば上記整経条件では、ヤーンガイド６ａ〜６ｈが７５００回転（整経長１４０ｍ÷ドラム外周長７ｍ×３７５バンド目）する間にコンベアベルト１７が整経幅２００ｃｍだけ移動するようにすればよい。また、整経ドラム１４の両側部の綾取りバー１８ａ〜１８ｇでは、経糸１本毎の綾と、整経長毎のカット綾とを形成するようにし、上記予め用意したボビンＢの色糸乃至糸種の継ぎ替え部分近傍で上記カット綾を形成するようにすれば、整経終了後、織布ビーム等に巻き返す際に好適な態様となる。
【００３４】
また、予め整経条件である整経本数、整経幅、整経長、整経デザイン及び糸種、番手等を入力することにより、前記した配列展開表を自動的に作成可能なソフトウエアや、サンプル整経機の制御用ソフトウエアを組み込んだコンピュータを搭載し、該コンピュータでワインダーも制御可能とすれば最も好適な態様となる。
【００３５】
このようにして、従来はごく限られたパターンの整経しかできなかった回転式クリールを用いる方式のサンプル整経機であっても、複雑な柄整経を制限なく自由に行うことができるようになり、しかも糸交換の必要がないので糸交換時のタイムロスが生じることもなく、極めて短時間でのサンプル整経が可能となる。
【図面の簡単な説明】
【００３６】
【図１】本発明のサンプル整経機の第１の態様を示す斜視概念説明図である。
【図２】本発明のサンプル整経機の第２の態様を示す側面説明図である。
【図３】図２の正面説明図である。
【図４】本発明で用いることのできるボビンの巻取形成方法の一例を示す概略説明図である。
【図５】本発明で用いるボビンを示し、（ａ）はボビンの斜視説明図であり、（ｂ）は長手方向で所定の整経長毎に異色若しくは異種の経糸に継ぎ替え又は異色に染色若しくは着色した経糸の一例を示す説明図である。
【図６】本発明のサンプル整経方法のフローチャートである。
【符号の説明】
【００３７】
６ａ，６ｂ，６ｃ，６ｄ，６ｅ，６ｆ，６ｇ，６ｈ：ヤーンガイド、１０，１０ａ：サンプル整経機、１２：基台、１４：整経ドラム、１７：コンベアベルト、１８ａ，１８ｂ，１８ｃ，１８ｄ，１８ｅ，１８ｆ，１８ｇ：綾取りバー、２０：主軸パイプ、２１：ガイド手段、２４：ヤーンガイド主軸、２６：ヤーンガイド支持部、４０：ボビンスタンド、４６ａ，４６ｂ，４６ｃ，４６ｄ，４６ｅ，４６ｆ，４６ｇ，４６ｈ：ボビンスタンド付きヤーンガイド、５２：先端糸案内部材、１００：ワインダー、１１０：クリール、１１１：張力付加部材、１１２：糸継装置、１１３：張力付加部材、１１４：巻取ドラム、１１５：クレードル、１１６：吸引部材、１１７：糸保持ローラ、１１８：糸保持板、１２０：糸選択装置、１２１Ａ：糸継装置へ案内する糸ガイド位置、１２１Ｂ：吸引部材へ案内する糸ガイド位置、１３０：糸測長貯留装置、１３２：回転軸、１３３：貯留ドラム、１３７：モータ、Ｂ：ボビン、Ｆ：回転式クリール、ＯＢ１，ＯＢ２，ＯＢ３：原ボビン、Ｙ：経糸、Ｙ１，Ｙ２，Ｙ３：原糸。
【図１】
2006183175.tif 000004
【図２】
2006183175.tif 000005
【図３】
2006183175.tif 000006
【図４】
2006183175.tif 000007
【図５】
2006183175.tif 000008
【図６】
2006183175.tif 000009
【手続補正書】
【提出日】平成17年8月1日(2005.8.1)
【手続補正１】
【補正対象書類名】明細書
【補正対象項目名】００２７
【補正方法】変更
【補正の内容】
【００２７】
次に、本発明のサンプル整経方法について、図６に基づいて説明する。図６は、本発明のサンプル整経方法のフローチャートである。例示として、以下の整経条件とした場合について説明する。
（整経条件）
・整経本数（本）…３０００
・整経幅（ｃｍ）…２００
・整経長（ｍ）…１４０
・整経デザイン…３Ａ＋２Ｂ＋１Ｃ＋３Ａ＋１Ｄ＋１Ｅ＋１Ｆ
なお、上記整経デザインは、Ａの色糸乃至糸種（以下単にＡ糸という）を３本（３Ａ）と、Ｂの色糸乃至糸種（以下単にＢ糸という）を２本（２Ｂ）と、Ｃの色糸乃至糸種（以下単にＣ糸という）を１本（１Ｃ）と、Ａの色糸乃至糸種を３本（３Ａ）と、Ｄの色糸乃至糸種（以下単にＤ糸という）を１本（１Ｄ）と、Ｅの色糸乃至糸種（以下単にＥ糸という）を１本（１Ｅ）と、Ｆの色糸乃至糸種（以下単にＦ糸という）を１本（１Ｆ）の配列順からなる合計１２本で１柄が構成される整形デザインであることを意味しており、この配列順に整経長１４０ｍで整経本数３０００本まで整経すると整経が完了することを意味する。
【手続補正２】
【補正対象書類名】明細書
【補正対象項目名】００２８
【補正方法】変更
【補正の内容】
【００２８】
まず、上記の如く整経条件を決定し、この整経条件のデータ（整経本数、整経幅、整経長及び整経デザイン）をサンプル整経機の制御用コンピュータ（不図示）に入力する（ステップ２１０）。次に、ボビンＢに予め仕込むべき色糸乃至糸種の配列を決定する（ステップ２２０）。即ち、上記整経条件を図１に例示したような８本のヤーンガイド及びボビンを備えるサンプル整経機で複本数同時整経を行う場合、同時整経できる経糸は８本であるので、上記１柄１２本の整経デザインを８本のヤーンガイド及びボビンで整経する場合は、下記表１に示した如くの色糸乃至糸種の配列に決定される。
【表１】
2006183175.tif 000010
【手続補正３】
【補正対象書類名】明細書
【補正対象項目名】００２９
【補正方法】変更
【補正の内容】
【００２９】
上記決定された色糸乃至糸種の配列に基づいてボビンＢを巻取形成する（ステップ２３０）。即ち、上記表１から判るように、ボビン番号Ｎｏ．１では、１バンド目がＡ糸→２バンド目がＡ糸→３バンド目がＢ糸→（略）→３７３バンド目がＡ糸→３７４バンド目がＡ糸→３７５バンド目がＢ糸という順番で糸長１４０ｍ毎（バンドが替わる毎）に色糸乃至糸種を継ぎ替えた経糸Ｙを巻取形成したボビンＢが必要であるので、このボビンＢを前記図４で説明した如くのワインダー及び巻取形成方法によって予め用意する。
【手続補正４】
【補正対象書類名】明細書
【補正対象項目名】００３０
【補正方法】変更
【補正の内容】
【００３０】
以下同様に、ボビン番号Ｎｏ．２では、１バンド目がＡ糸→２バンド目がＤ糸→３バンド目がＣ糸→（略）→３７３バンド目がＡ糸→３７４バンド目がＤ糸→３７５バンド目がＣ糸という順番で糸長１４０ｍ毎（バンドが替わる毎）に色糸乃至糸種を継ぎ替えた経糸Ｙを巻取形成したボビンＢを予め用意し、ボビン番号Ｎｏ．３では、１バンド目がＡ糸→２バンド目がＥ糸→３バンド目がＡ糸→（略）→３７３バンド目がＡ糸→３７４バンド目がＥ糸→３７５バンド目がＡ糸という順番で糸長１４０ｍ毎（バンドが替わる毎）に色糸乃至糸種を継ぎ替えた経糸Ｙを巻取形成したボビンＢを予め用意し、ボビン番号Ｎｏ．４では、１バンド目がＢ糸→２バンド目がＦ糸→３バンド目がＡ糸→（略）→３７３バンド目がＢ糸→３７４バンド目がＦ糸→３７５バンド目がＡ糸という順番で糸長１４０ｍ毎（バンドが替わる毎）に色糸乃至糸種を継ぎ替えた経糸Ｙを巻取形成したボビンＢを予め用意し、ボビン番号Ｎｏ．５では、１バンド目がＢ糸→２バンド目がＡ糸→３バンド目がＡ糸→（略）→３７３バンド目がＢ糸→３７４バンド目がＡ糸→３７５バンド目がＡ糸という順番で糸長１４０ｍ毎（バンドが替わる毎）に色糸乃至糸種を継ぎ替えた経糸Ｙを巻取形成したボビンＢを予め用意し、ボビン番号Ｎｏ．６では、１バンド目がＣ糸→２バンド目がＡ糸→３バンド目がＤ糸→（略）→３７３バンド目がＣ糸→３７４バンド目がＡ糸→３７５バンド目がＤ糸という順番で糸長１４０ｍ毎（バンドが替わる毎）に色糸乃至糸種を継ぎ替えた経糸Ｙを巻取形成したボビンＢを予め用意し、ボビン番号Ｎｏ．７では、１バンド目がＡ糸→２バンド目がＡ糸→３バンド目がＥ糸→（略）→３７３バンド目がＡ糸→３７４バンド目がＡ糸→３７５バンド目がＥ糸という順番で糸長１４０ｍ毎（バンドが替わる毎）に色糸乃至糸種を継ぎ替えた経糸Ｙを巻取形成したボビンＢを予め用意し、ボビン番号Ｎｏ．８では、１バンド目がＡ糸→２バンド目がＢ糸→３バンド目がＦ糸→（略）→３７３バンド目がＡ糸→３７４バンド目がＢ糸→３７５バンド目がＦ糸という順番で糸長１４０ｍ毎（バンドが替わる毎）に色糸乃至糸種を継ぎ替えた経糸Ｙを巻取形成したボビンＢを予め用意する。なお、同じ色糸が連続する部分では糸を継ぎ替える必要はない。